(57)【要約】      （修正有）【課題】鏡を見る人の正像が映るようにした正像ミラーを提供する。【解決手段】カメラ５と、正像を得る電子回路と、ディスプレイ２１から成る正像装置は、画像を撮影するカメラ５と、ディスプレイ２１のスキャン方向３６とカメラのスキャン方向が逆となるように、該カメラの映像を左右逆転処理され、正像としてディスプレイに送る電子回路と、前記正像を映すディスプレイとからなり、通常の鏡による逆像ではなく、観察対象の正像が得られるので、人は本物の映像を見ることができる。【選択図】図４
2015039100.tif 000002
【特許請求の範囲】
【請求項１】
カメラと、映像を正像とする電子回路と、映像を映すディスプレイと、
からなることを特徴とする正像視装置。
【発明の詳細な説明】
【技術分野】
【０００１】
本発明は自分の正像を見ることができる正像ミラーに関する。
【背景技術】
【０００２】
従来より自分の姿を見るのには鏡を用いている。ところが鏡に映った像は左右逆転した画像であり、正像を見ることはできなかった。左右逆転した像からは正しい情報は得られない。
図1は従来の映り方の説明図である。（Ａ）において、10は見る人、30は見る人の左肩、40は映す右手である。20は見る人10の像を映すミラーである。ミラー20には（Ｂ）に示すような像が映る。11は映った人である。見る人10の右手40はミラー20には像41として映る。いかにも左手が映っているように見える。
人の像の場合は、あまり気づかないが、時計等の場合は左右逆転して、つまり180°回転して映るので、正確な時間を把握することは難しい。また、文字も反転して映るので読みにくい。また、自分を本物と同じに見たい。
【発明の概要】
【発明が解決しようとする課題】
【０００３】
前述したように、従来は鏡に映った像を見ていた。女性がお化粧をする場合も、鏡に映った像は真の自分の顔ではなく逆顔である。鏡に映った像からテレビ画像や時刻情報や文字情報等を読み取る場合等には、像が左右逆転して映るので正しい時刻や映像情報等を見ることはできなかった。
本発明はこのような課題に鑑みてなされたものであって、鏡を見る人の正像が映るようにした正像ミラーを得ることを目的としている。
【課題を解決するための手段】
【０００４】
前記した課題を解決する本発明は、画像を撮影するカメラと、該カメラの映像を正像としてディスプレイに送る電子回路と、前記正像を映すディスプレイとから成ることを特徴とする。
【発明の効果】
【０００５】
通常の鏡の像は、左右逆転の像であるが、本発明により真の像を見ることができ、正しい情報を得ることができる、人類が水面や磨いた金属で顔を映して以来の歴史を変える大発明である。
【図面の簡単な説明】
【０００６】
【図１】従来の鏡への映り方を説明する図
【図２】本発明の実際の像の映り方を示す図（実施例１）
【図３】本発明の実施例2を示す図
【図４】カメラの走査方向が、ディスプレイの走査方向と逆方向を示す本発明の実施例３の説明図
【図５】カメラの走査方向が、ディスプレイの走査の図４と逆の例を示す実施例４の説明図
【図６】本発明の実施例５を示す図
【図７】本発明の実施例６を示す図
【図８】本発明の実施例７を示す図
【図９】女性の化粧用具を示す図
【図１０】本発明により得られた実施例８の正像を示す図
【図１１】公知の理容室の様子を示す図
【図１２】本発明による本発明実施例９を示す図
【発明を実施するための形態】
【０００７】
図１は公知の鏡２０で、被写体３０は逆像３１として映り、右手４０が左手４１として映る。顔１０は鏡の１１とになり、左右逆向きに映っている。
以下、図面を参照して本発明の実施例を詳細に説明する。図２は本発明の実施例１を示す図である。（Ａ）は被写体、（Ｂ）はディスプレイに映った正像を示す図である。図（Ａ）において、10は像を見る人の顔、30は像を見る人の左肩、40は像を見る人の右手である。
【０００８】
図２（Ｂ）において、２１は鏡に相当するディスプレイ、１２は見る人のディスプレイ２１に映った正像である。１２は見る人の正像、４２は見る人の右手４０が左に映ったものである。３２は左肩３０が右に映ったものである。２１は見る人の正像を表示するディスプレイである。
【０００９】
該ディスプレイ２１としては、例えば液晶表示器（ＬＣＤ）が用いられる。この表示器２１としては、ＬＣＤに限るものではなく、その他の種類の表示器、例えばブラウン管や有機ＥＬ，プラズマディスプレイ等でもよい。
【００１０】
近くで見るもので、特に４Ｋ（走査線情報が４０００個あるもの）や８Ｋのディスプレイの用途として最適の発明である。５は被写体を撮影するカメラで、例えばレンズとＣＣＤ（チャージ・カップルド・デバイス）と電子回路で構成されている。図３，図４の実施例１では必要ないが、６は該カメラ５で撮影した画像データに対して必要な場合には左右逆転の画像処理を行う電子回路である。
【００１１】
このような実際の像を見るために、実施例1の動作の概要を図３で説明すれば、以下の通りである。先ず、カメラ５で被写体１０をレンズ３１を通してＣＣＤ３２上に撮像する。この像は図で左方向３３にスキャンされる。３４Ａはカメラ５の電子回路である。この信号をディスプレイ２１に伝え映像として見せる。
【００１２】
この場合、ディスプレイ２１のスキャン方向３６は右方向であり、カメラＣＣＤのスキャン方向と逆である。これを立体的に説明したのが図４である。このように、カメラとディスプレイのスキャン方向を一方から見て逆にすると左右正像になる。
【００１３】
図５は本発明の実施例２であって、ディスプレイ２１のスキャン方向３６とカメラのスキャン方向３４を被写体１０から見て同一方向にしたものである。この場合は、左右逆転像となるので、この逆転像は、電子回路6に入って左右逆転処理され、信号線３５を経てディスプレイ２１に送られ、図２の（B）に示すような逆転正像が得られる。つまり図１の、（A）に示す逆転した右手の像４１は、図２の４２に示すように逆転された右手の像として左側ディスプレイ２１上に表示することができる。
【００１４】
図６は本発明の実施例３を示す図である。この場合、ディスプレイの走査方向を逆３７とする方法で、電子回路６でそれを行う。
【００１５】
図７は本発明の実施例４を示す図である。この実施例は、暗闇の場合でも像を見ることができるように、ディスプレイ21の枠２２の上部左右に一対のライト7を設けるようにしたものである。このようにすれば、被写体が明るくなるので、暗いところでも画像を撮ることができる。像が暗いと、カメラ５の出力が低くなり、Ｓ／Ｎ比が悪くなる。そこで、被写体を明るく照らすことによりＳ／Ｎ比を向上させることができ、正像をくっきりと見ることができる。
【００１６】
図８は本発明の実施例５を示す図である。この実施例は、本発明を手鏡に利用した場合を示している。８は人が掴むハンドル、８１は該ハンドル８の内部に設けられたバッテリーであ。２１は人の正像を映すディスプレイ、７はディスプレイ枠の両側に設けられたライトである。該ライト7で人を照らすことにより、像をくっきりと映すことができる。
５は枠に取り付けられたカメラレンズである。６は該カメラ５で撮像された画像データを用いて画像処理を行う電子回路であり、この電子回路６は、前記バッテリー８１によりパワーを供給されるようになっている。
このように構成された手鏡において、人がハンドル８を握って顔を映すとカメラ
５はこの映った像を取り込む。取り込まれた像は、ディスプレイ２１に表示される。人は自分の正像を見ることができる。
【００１７】
図９は本発明の実施例６を示す図である。この実施例は、本発明を女性化粧用コンパクトに利用した場合を示している。図において、5は顔を撮像するためのカメラ、7は顔を明るく照らすためのライト、6はカメラ５で取り込んだ画像データを画像処理する電子回路である。9はコンパクトをたたむために設けられたヒンジである。１０Ａはコンパクトケース、11はホホ化粧品、12はマユ化粧品、13はクチベニ用化粧品などから成る化粧品部50である。14はパフである。
【００１８】
このように構成されたコンパクトにおいて、先ずライト7を点灯させて人の顔を明るく照らす。この時の顔はカメラ5に取り込まれ画像データにした後、顔の正像を得る。得られた正像はディスプレイ21に表示される。人はディスプレイ21に表示された顔の正像を見て、お化粧をする。この時、他人が見るのと同じ像（正像）がディスプレイ21に表示されるので、より見栄えのする化粧をすることができる。
【００１９】
図１０は本発明の実施例７を示す図である。この実施例は、スマートフォンに本発明を適用したものである。即ち、スマートフォンのディスプレイを本発明正像ミラーと兼用したものである。スマートフォン15に設けられたライト7で人の顔を明るく照らす。その時に顔画像をカメラ5で取り込み、電子回路６で画像処理し、ディスプレイに表示させるようにしたものである。
【００２０】
図１１は公知の理容室の様子を示している。理容室では、理容師がお客１００の整髪をしている。この時、前に設置された鏡20には、お客の髪の分け方などの整髪状態１０１が逆に映り（１０２）、本当の整髪状態が判らない。また、お客の髪の分け目１０１が公知の鏡（図１１）では、逆になっていたが、本発明では正しい位置１０３で見られ、整髪状態を正しくチェックできる。
【００２１】
また、ディスプレイ２１には時計の正像６２’とテレビ画面の正像６４’が表示される。６２は鏡に映った３時を示す時計像（実際は９時）61とテレビ63の画面の正像６４'が表示される。62は鏡にテレビ像が逆転し、テロップも読めない。
【００２２】
図１２はこの時に得られた本発明による本発明実施例８を示している。ディスプレイ21には時計の正像62’とテレビ画面の正像64'が表示される。時計の表示62'により現在の時刻は鏡に映った午後3時ではなく、午前9時であることが分かる。テレビ像６４'が逆転しない正像で見られる。６２Ａと６４Ａはそれぞれ実際の時計とテレビの映像示している。
【００２３】
以上、詳細に説明したように、本発明によれば、通常の鏡による逆像ではなく、観察対象の正像が得られるので、人は本物の映像を見ることができる。
【産業上の利用可能性】
【００２４】
本発明は、対象物の正像を得ることができるので、神代以来の水やみがき板を通して見た逆像ではなく、正像が見られるので、化粧，床屋，服飾など日常生活はもとより、従来鏡を使っていた産業上の色々な分野で活用できるので、計り知れないほど効果が大きい。
【符号の説明】
【００２５】
5    カメラ
6    電子回路
7    ライト
8    ハンドル
９    ヒンジ
10  見る人（    −被写体）
１０Ａ  コンパクトケース
11  鏡に映った見る人の像
１２  見る人の正像
１２Ａ  マユ化粧品
１３  クチベニ用化粧品
１４  パフ
１７  スマートフォン
１５  化粧品部
２０  鏡
２１  ディスプレイ
２２  枠
３０  左肩
３１  肩
３０  左肩
３２  得られた正像
３４  カメラの電子回路
３５  信号線
３６  ディスプレイ２１のスキャン方向
３８  ディスプレイ２１のスキャン方向
４０  映す右手
４１  鏡に映った右手像
４２  得られた右手の正像
５０  鏡
５１  鏡に映った像
５２  反転された像の正像
６１  時計
６２  鏡に映った時計の像
６２’  時計の正像
６３  テレビ
６４  鏡に映ったテレビの像
６４’  テレビの正像
８１  バッテリー
１００  お客
１０１  髪の分け目
１０２  髪の分け目の正しい位置
１０３  正しい位置
【図１】
2015039100.tif 000003
【図２】
2015039100.tif 000004
【図３】
2015039100.tif 000005
【図４】
2015039100.tif 000006
【図５】
2015039100.tif 000007
【図６】
2015039100.tif 000008
【図７】
2015039100.tif 000009
【図８】
2015039100.tif 000010
【図９】
2015039100.tif 000011
【図１０】
2015039100.tif 000012
【図１１】
2015039100.tif 000013
【図１２】
2015039100.tif 000014